(57)【要約】【課題】効率良く、サラシナショウマ属植物の発根乃至発芽を促進させることができる、種子発芽方法を提供する。【解決手段】本発明に係るサラシナショウマ属植物の種子発芽は、サラシナショウマ属植物の種子を発芽までに植物成長剤に継続的に接触させて、前記サラシナショウマ属植物の種子を発芽させる、発芽工程、を有する。植物成長剤は、ジベレリン類、オーキシン類、サイトカイニン類、エチレンガス、アブシジン酸、ブラシノステロイド、ジャスモン酸及びフロリゲンのうち少なくともいずれか一つを含有する。【選択図】なし【特許請求の範囲】
【請求項１】
サラシナショウマ属植物の種子を発芽までに植物成長剤に継続的に接触させて、前記サラシナショウマ属植物の種子を発芽させる、発芽工程、を有する、
ことを特徴とするサラシナショウマ属植物の種子発芽方法。
【請求項２】
前記植物成長剤は、ジベレリン類、オーキシン類、サイトカイニン類、エチレンガス、アブシジン酸、ブラシノステロイド、ジャスモン酸及びフロリゲンのうち少なくともいずれか一つを含有する、
ことを特徴とする請求項１記載のサラシナショウマ属植物の種子発芽方法。
【請求項３】
前記発芽工程の前に、前記サラシナショウマ属植物の種子の種皮を柔らかくすることで前記植物成長剤の浸透を促進させる、種皮柔化工程、を有する、
ことを特徴とする請求項１又は２に記載のサラシナショウマ属植物の種子発芽方法。
【請求項４】
前記種子柔化工程は、サラシナショウマ属植物の種子を、アルカリ性水溶液に浸漬する、
ことを特徴とする請求項３記載のサラシナショウマ属植物の種子発芽方法。
【請求項５】
前記種子柔化工程は、サラシナショウマ属植物の種子を、次亜塩素酸ナトリウムに浸漬する、
ことを特徴とする請求項３記載のサラシナショウマ属植物の種子発芽方法。
【請求項６】
前記サラシナショウマ属植物の種子を、次亜塩素酸ナトリウムに浸漬する浸漬時間は、０．５時間以上３時間以下である、
ことを特徴とする請求項５記載のサラシナショウマ属植物の種子発芽方法。
【請求項７】
前記植物成長剤の濃度は、０．１ｐｐｍ以上１００ｐｐｍ以下である、
ことを特徴とする請求項１乃至６の何れか１項に記載のサラシナショウマ属植物の種子発芽方法。
【請求項８】
前記発芽工程における、前記サラシナショウマ属植物の種子に作用する温度は、１０℃以上１９℃以下である、
ことを特徴とする請求項１乃至７の何れか１項に記載のサラシナショウマ属植物の種子発芽方法。
【発明の詳細な説明】
【技術分野】
【０００１】
本発明は、サラシナショウマ属植物の種子発芽方法に関する。
【背景技術】
【０００２】
日本に自生するキンポウゲ科ＲＡＮＵＮＣＵＬＡＣＥＡＥのサラシナショウマＣｉｍｉｃｉｆｕｇａ  ｓｉｍｐｌｅｘは、同属植物で中国に自生するＣｉｍｉｃｉｆｕｇａ  ｄａｈｕｒｉｃａ、Ｃｉｍｉｃｉｆｕｇａ  ｆｏｅｔｉｄａまたはＣｉｍｉｃｉｆｕｇａ  ｈｅｒａｃｌｅｉｆｏｌｉａとともに、日本薬局方に規定される生薬「升麻」の基原植物である。
【０００３】
サラシナショウマは、自然の土壌に播種した場合、およそ２年後に発芽するが、発芽するものは播種した中のほんの一部だけであることが認められている。
【０００４】
また、実験室においてサラシナショウマの種子を発芽試験に供する場合は、比較的多くの種子が発根することが認められているが、正常に子葉まで展開するのはおよそ１年半後にごく一部のものであることが認められている。
【０００５】
このように、自然土壌若しくは実験室におけるサラシナショウマ属植物の栽培は困難であり、薬草として有益であるサラシナショウマ属植物の栽培方法の確立が求められる。
【０００６】
キンポウゲ科植物の栽培を促進させるため、植物成長剤を付与する方法が、例えば、特許文献１に記載されている。
【０００７】
しかしながら、特許文献１に記載されている方法では、サラシナショウマ属植物の生長を発芽まで促進させるのは非常に困難である。
【特許文献１】特開２００４−１２９６１４号公報
【発明の開示】
【発明が解決しようとする課題】
【０００８】
本発明は、このような課題に鑑みなされたものであり、効率良く、サラシナショウマ属植物の発根乃至発芽を促進させることができる、サラシナショウマ属植物の種子発芽方法を提供することを目的とする。
【課題を解決するための手段】
【０００９】
上記目的を達成するため、本発明に係るサラシナショウマ属植物の種子発芽方法は、
サラシナショウマ属植物の種子を発芽までに植物成長剤に継続的に接触させて、前記サラシナショウマ属植物の種子を発芽させる、発芽工程、を有する、ことを特徴とする。
【００１０】
また、前記植物成長剤は、ジベレリン類、オーキシン類、サイトカイニン類、エチレンガス、アブシジン酸、ブラシノステロイド、ジャスモン酸及びフロリゲンのうち少なくともいずれか一つを含有する、ことも可能である。
【００１１】
また、前記発芽工程の前に、前記サラシナショウマ属植物の種子の種皮を柔らかくすることで前記植物成長剤の浸透を促進させる、種皮柔化工程、を有する、ことも可能である。
【００１２】
また、前記種子柔化工程は、サラシナショウマ属植物の種子を、アルカリ性水溶液に浸漬する、ことも可能である。
【００１３】
また、前記種子柔化工程は、サラシナショウマ属植物の種子を、次亜塩素酸ナトリウムに浸漬する、ことも可能である。
【００１４】
また、前記サラシナショウマ属植物の種子を、次亜塩素酸ナトリウムに浸漬する浸漬時間は、０．５時間以上３時間以下である、ことも可能である。
【００１５】
また、前記植物成長剤の濃度は、０．１ｐｐｍ以上１００ｐｐｍ以下である、ことも可能である。
【００１６】
また、前記発芽工程における、前記サラシナショウマ属植物の種子に作用する温度は、１０℃以上１９℃以下である、ことも可能である。
【発明の効果】
【００１７】
本発明のサラシナショウマ属植物の種子発芽方法は、効率良く、サラシナショウマ属植物の発根乃至発芽を促進させることができた。
【発明を実施するための最良の形態】
【００１８】
（実施形態１）
本実施形態における、サラシナショウマ属植物の種子発芽方法は、サラシナショウマ属植物の種子を発芽までに植物成長剤に継続的に接触させる。
【００１９】
種子を発芽までに植物成長剤に接触させるとは、発芽床を植物成長剤で湿潤させ、種子をその発芽床に設置し、種子が発芽するまで植物成長剤に接するようにさせることである。
【００２０】
また、種子を継続的に植物成長剤に接触させるとは、発芽までに常に種子を植物成長剤に接触させることはもちろん、発芽状態の観測等の一時的な処理乃至測定のためにいったん種子を植物成長剤に接触している状態を解除し、すぐに、再度、種子を植物成長剤に接触している状態に戻すことを含む。
【００２１】
発芽床は、例えば土、砂、綿、濾紙等の発根及び発芽の支持できるものを使用することができ、植物成長剤で湿潤させることができるものであればよい。
【００２２】
サラシナショウマ属植物としては、例えば、サラシナショウマ（Ｃｉｍｉｃｉｆｕｇａ  ｓｉｍｐｌｅｘ）及び同属植物が適用される。
【００２３】
発芽とは、地上部となる芽が生じることであり、正常に子葉が展開する状態をいう。それに対して、発根とは根が生じることである。
【００２４】
植物成長剤とは、植物ホルモン乃至植物ホルモンと同じ生理活性を示す物質と同様の意義であり、植物の生理過程を調節する物質である。
【００２５】
具体的な植物成長剤としては、ジベレリン類、オーキシン類、サイトカイニン類、エチレンガス、アブシジン酸、ブラシノステロイド、ジャスモン酸、フロリゲン、又はこれらの混合物を使用することができる。
【００２６】
ジベレリン類としては、ジベレリンＡ１からジベレリンＡ１３６までが使用可能であり、特に好ましくはジベレリンＡ３（Ｃ１９Ｈ２２Ｏ６）を使用することが可能である。
【００２７】
植物成長剤の濃度は、０．０００００１ｐｐｍ以上１００ｐｐｍ以下とすることが可能であり、０．１ｐｐｍ以上１００ｐｐｍ以下とすることが好ましい。より好適には、１ｐｐｍ以上１００ｐｐｍ以下である。なぜならば、植物成長剤が０．０００００１ｐｐｍ程度でも、植物成長剤の種類によっては非常に高い効果を有する場合があるからである。一方、植物成長剤の濃度が１００ｐｐｍよりも高いと、種子に予期せぬ副作用が生じる可能性があるからである。
【００２８】
サラシナショウマ属植物の種子を発芽させるのに必要な期間である発芽期間における温度は、１０℃以上１９℃以下とすることが好ましく、より好ましくは１３℃以上１８℃以下である。発芽期間における温度が１０℃よりも低いと、成長に必要な温度が低すぎて発芽がなされない可能性があるからである。一方、発芽期間における温度が１９℃よりも高いと、発芽に好ましくない影響が生じる可能性があるからである。
【００２９】
実施形態１における、サラシナショウマ属植物の種子発芽方法によれば、効率良く、サラシナショウマ属植物の発芽を促進させることができる。特に、従来のように、サラシナショウマ属植物の種子を予め植物成長剤に浸漬処理し、浸漬処理が終了した種子を蒸留水で湿潤させた発芽床に設置させる方法では、ほとんど発芽に至る種子はなかったところ、本実施形態に係る方法では、大半の種子を発芽させることができる。さらに、本実施形態に係る発明を実施するために必要とされる器具や植物成長剤等の試薬は、一般農家でも入手可能であるので、誰でも簡単に本発明を実施することが可能である。さらには、本発明の種子改善方法は、サラシナショウマ属植物の種子だけでなく、その他の種類の植物の種子にも応用できることが考えられ、本発明の利益は計り知れない。
【００３０】
（実施形態２）
実施形態２では、発芽工程の前に、サラシナショウマ属植物の種子の種皮を柔らかくすることで植物成長剤の浸透を促進させる、種皮柔化工程、を有する。
【００３１】
種子の種皮を柔らかくするとは、種子の種皮を柔らかくする、種皮を剥く、若しくは、種皮の一部を破壊することである。このように、種子の種皮を柔らかくすることにより、植物成長剤を種子内部へ浸透させることを促進し、後の発芽工程において、種子の発芽をさらに促進させるのである。植物成長剤を種子内部へ浸透させるとは、種皮より内部にある胚乳、子葉、胚軸等へ植物成長剤を到達させることである。
【００３２】
種子の種皮を柔らかくするためには、具体的には、サラシナショウマ属植物の種子を、次亜塩素酸ナトリウムに浸漬する。
【００３３】
次亜塩素酸ナトリウムの濃度は、有効塩素濃度にて、０．１％以上１０％以下とすることが望ましい。次亜塩素酸ナトリウムの濃度が有効塩素濃度にて０．１％よりも低いと、種子の前処理としての作用が少なくなる可能性があるからである。一方、次亜塩素酸ナトリウムの濃度が有効塩素濃度にて１０％よりも多いと、種子の成長に悪影響を及ぼす可能性があるからである。
【００３４】
種皮柔化工程において、種子を次亜塩素酸ナトリウムに浸漬する浸漬時間は、０．５時間以上３時間以下とすることが好ましく、より好ましくは１時間以上２時間以下である。種子を浸漬する時間が０．５時間よりも少ないと、種皮の柔化が不十分となる可能性があるからである。一方、種子を浸漬する時間が３時間よりも多いと、種皮及びその内部に予期しない作用が生じる可能性があるからである。
【００３５】
種皮柔化工程において、次亜塩素酸ナトリウムに浸漬させた後の種子は、発芽工程に至る前に、蒸留水若しくは水道水で次亜塩素酸ナトリウムを洗い流すことが好ましい。発芽工程において、次亜塩素酸ナトリウムが種子に残留していると、種子の発芽に予期せぬ悪影響を及ぼす可能性があるからである。
【００３６】
このように、発芽工程の前に、種子柔化工程を行うことにより、さらに、播種した種子の発芽率を向上させることができ、しかも、種子を播種してから発芽までの期間をより短くすることができるのである。
【００３７】
なお、本実施形態では、サラシナショウマ属植物の種子を次亜塩素酸ナトリウムに浸漬する具体例を示したが、そのような実施形態に限定されることはなく、アルカリ性水溶液に浸漬させることも可能である。アルカリ性水溶液としては、例えばアルカリ性界面活性剤を使用することができる。
【００３８】
上述の実施形態では、植物成長剤としてジベレリン類を使用する例を示したが、本発明はそのような実施形態に限定されるものではなく、オーキシン類、サイトカイニン類、エチレンガス、アブシジン酸、ブラシノステロイド、ジャスモン酸、フロリゲン、又はこれらの混合物を用いる場合でも、サラシナショウマ属植物の種子を有効に発芽させることができる。
【実施例】
【００３９】
〈種子の前処理法と発根率・発芽率の関係〉
サラシナショウマの種子を、ジベレリンＧＡ３の濃度を０ｐｐｍ（ジベレリンを含有させず蒸留水で処理する）、１ｐｐｍ若しくは１００ｐｐｍとして、ジベレリンＧＡ３に継続的に接触させた（種子柔化工程をしていない無処理の場合）。
【００４０】
サラシナショウマの種子を９９％エタノール中に５分間浸漬した後、蒸留水で３回洗浄した。次に、エタノールで洗浄したサラシナショウマの種子は、有効塩素濃度１％の次亜塩素酸ナトリウム水溶液に浸漬して１時間攪拌した。そして、次亜塩素酸ナトリウム水溶液に浸漬した後は、流水（蒸留水）で３時間濯いだ。ジベレリンＧＡ３の濃度を０ｐｐｍ（ジベレリンを含有させず蒸留水で処理する）、１ｐｐｍ若しくは１００ｐｐｍとして、ジベレリンＧＡ３に継続的に接触させた（種子柔化工程として次亜塩素酸処理の場合）。
【００４１】
次に、サラシナショウマの種子を、２％濃度のアルカリ性洗剤（一般実験用）に浸漬して１時間攪拌した。そして、アルカリ性洗剤に浸漬した後は、流水（蒸留水）で３時間濯いだ。ジベレリンＧＡ３の濃度を０ｐｐｍ、１ｐｐｍ若しくは１００ｐｐｍとして、ジベレリンＧＡ３に継続的に接触させた（種子柔化工程としてアルカリ性洗剤処理の場合）。
【００４２】
このようにして、無処理の場合、次亜塩素酸処理の場合、アルカリ性洗剤処理の場合につき、それぞれ、ジベレリン濃度（ｐｐｍ）を変化させて、発根及び発芽のようすを観察した。係る結果を表１に示す。測定値は試験を３回繰り返して得られた数値の平均値である。置床後の日数は、種子を播種した当日を０日目とした経過日数である。
【００４３】
【表１】
2009219461.tif 000002
【００４４】
まず、種子柔化工程をしていない無処理の場合でも、ジベレリン濃度が１ｐｐｍ若しくは１００ｐｐｍのいずれでも、発芽が観察された。
【００４５】
次に、種子柔化工程としてアルカリ洗浄処理をした場合も、ジベレリン濃度が１００ｐｐｍの場合、発芽が観察された。１１６日目には４．０％の高い発芽率を示した。
ジベレリン濃度が１ｐｐｍの場合、１０２．５日目にして発芽を開始し、１１６日目には１．３％の発芽率を示した。
ジベレリン濃度が０ｐｐｍの場合（比較例となる）は、１１２．０日目にして発芽を開始し、１１６日目の発芽率は０．７％という低い発芽率であった。
【００４６】
次に、種子柔化工程として次亜塩素酸処理をした場合も、ジベレリン濃度が１００ｐｐｍの場合、発芽が観察された。４８．０日目には既に発芽を開始し、１１６日目には４．０％の高い発芽率を示した。
ジベレリン濃度が１ｐｐｍの場合、６５．０日目にして発芽を開始し、１１６日目には２．０％の発芽率を示した。
ジベレリン濃度が０ｐｐｍの場合（比較例となる）は、１０６．５日目にして発芽を開始し、１１６日目の発芽率は１．３％という低い発芽率であった。
【００４７】
以上、表１の結果から、サラシナショウマの種子に、発芽までにジベレリンＧＡ３を継続的に接触させることで、発芽を大幅に可能乃至促進させることができたことが判明した。さらに、前処理として、種子柔化工程を行えばさらに発芽が促進され、特に、前処理として次亜塩素酸処理が優れていることが判明した。
【００４８】
〈ジベレリンＧＡ３浸漬処理における発根率・発芽率〉
上述した次亜塩素酸処理をしたサラシナショウマの種子を、５℃の低温条件にて、１２０時間（５日間）、ジベレリンＧＡ３に浸漬した（ジベレリンＧＡ３浸漬処理）。そして、このサラシナショウマの種子を、蒸留水で湿潤させた発芽床で発芽試験を行った。
【００４９】
上述したアルカリ性洗浄処理をしたサラシナショウマの種子を、５℃の低温条件にて、１２０時間、ジベレリンＧＡ３に浸漬した。そして、このサラシナショウマの種子を、蒸留水で湿潤させた発芽床で発芽試験を行った。
【００５０】
また、種子柔化工程として無処理のサラシナショウマの種子を、５℃の低温条件にて、１２０時間、ジベレリンＧＡ３に浸漬した。そして、このサラシナショウマの種子を、蒸留水で湿潤させた発芽床で発芽試験を行った。
これらの発芽試験の結果を表２に示す。測定値は試験を３回繰り返して得られた数値の平均値である。置床後の日数は、種子を播種した当日を０日目とした経過日数である。
【００５１】
【表２】
2009219461.tif 000003
【００５２】
前処理として次亜塩素酸処理を行い、ジベレリン濃度が１００ｐｐｍの場合は、１１０日目にして７４．２％の発根率を示したが、サラシナショウマの種子は発根をするのみで、発芽はなく、さらに観察を続行しても発芽の可能性は低いと予想される。
【００５３】
前処理としてアルカリ性水溶液処理を行った場合は、ジベレリン濃度が１００ｐｐｍの場合、１１０日目にして６５．３％の発根率を示すにすぎなかった。さらに観察を続行しても発芽の可能性は低いと予想される。
【００５４】
前処理として無処理の場合は、ジベレリン濃度が１００ｐｐｍの場合、１１０日目にして６７．３％程度の発根率を示すにすぎず、さらに観察を続行しても発芽の可能性は低いと予想される。
【００５５】
以上、表２の結果から、サラシナショウマの種子に、従来法であるジベレリンＧＡ３浸漬処理を行ったとしても、発芽の観察は困難であることが判明した。この従来法との比較より、サラシナショウマの種子に、発芽までにジベレリンＧＡ３を継続的に接触させるという本願発明における方法の優れた効果が理解される。
【００５６】
〈ジベレリン濃度と発根率・発芽率の関係〉
複数のサラシナショウマの種子を９９％エタノール中に５分間浸漬した後、蒸留水で３回洗浄した。この洗浄したサラシナショウマの種子につき、有効塩素濃度１％の次亜塩素酸ナトリウム水溶液に浸漬して１時間攪拌した。そして、次亜塩素酸ナトリウム水溶液に浸漬した後は、蒸留水中で３時間濯いだ。ジベレリンＧＡ３の濃度を０ｐｐｍ（ジベレリンを含有せず蒸留水のみ）、０．０１ｐｐｍ、０．１０ｐｐｍ、１．００ｐｐｍ、１０．００ｐｐｍ、１００．００ｐｐｍとして、ジベレリンＧＡ３に継続的に接触させた。
【００５７】
このようにして、種子柔化工程として次亜塩素酸処理の場合において、ジベレリン濃度を変化させ、発根率及び発芽率を観察した。係る結果を表３に示す。測定値は試験を３回繰り返して得られた数値の平均値である。置床後の日数は、種子を播種した当日を０日目とした経過日数である。
【００５８】
【表３】
2009219461.tif 000004
【００５９】
ジベレリンが含有されていない場合（ジベレリン濃度が０．００ｐｐｍの場合）は置床後５０日目の発根率が０％で、置床後１１６日目の発根率が５９．３％という低いものであった。置床後１１６日目で１．３％という低い発芽率であった。
【００６０】
ジベレリン濃度が０．０１ｐｐｍの場合は、置床後１１６日目に発根率が７７．３％という高い数値を示した。置床後１１６日目で発芽率は０％であったが、発根率が高いのでそのまま観察を続ければ高い発芽率が予想される。
ジベレリン濃度が０．１ｐｐｍの場合は、置床後１１６日目に発根率が７８．０％という高い数値を示した。そして置床後１１６日目で発芽率は１．３％であった。
【００６１】
ジベレリン濃度が１ｐｐｍの場合は、置床後１１６日目に発根率が８５．３％という高い数値を示した。そして置床後１００日目で発芽率１．３％であり、置床後１１６日目で発芽率２．０％であった。
ジベレリン濃度が１０ｐｐｍの場合は、置床後５０日目に発根率２２．０％であり、置床後１１６日目に発根率６４．７％であった。そして置床後１００日目で発芽率９．３％、置床後１１６日目で発芽率１０．０％という非常に高い数値であった。
【００６２】
ジベレリン濃度が１００ｐｐｍの場合は、置床後５０日目に発根率６６．０％、置床後１１６日目に発根率６８．７％という高い数値であった。そして置床後１００日目で発芽率４．０％、置床後１１６日目で発芽率４．０％という高い数値であった。
このように、ジベレリン濃度は、０．１ｐｐｍ以上１００ｐｐｍ以下とすることが好ましいことがわかった。さらに好ましくは１ｐｐｍ以上１００ｐｐｍ以下であることがわかった。
【００６３】
〈試験温度が発根率等に及ぼす影響〉
複数のサラシナショウマの種子を９９％エタノール中に５分間浸漬した後、蒸留水で３回洗浄した。この洗浄したサラシナショウマの種子を、ジベレリンＧＡ３の濃度を１ｐｐｍとして、ジベレリンＧＡ３に継続的に接触させた。そして、サラシナショウマの種子をジベレリンに継続的に接触させる間の試験温度を１５℃、２０℃、２５℃として、成長のようすを観察した。この結果を表４に示す。
【００６４】
【表４】
2009219461.tif 000005
【００６５】
試験温度が１５℃の場合は、１００日目にして２．０％の発芽率を示した。しかしながら、試験温度が２０℃の場合は、置床後１００日目にして２．０％の発根率を示すのみで、置床後１００日目の発芽率は０％であった。試験温度が２５℃の場合は、置床後１００日目における発根率は０％であった。さらに１０℃を下回る温度では発根は期待できなかった。このことから、サラシナショウマ属植物の種子は、１０℃以上１９℃以下の範囲で、ジベレリンに継続的に接触させるのが好適であることが理解される。